(57)【要約】      （修正有）【課題】実験内容に応じた各種作業に適する各種天板を、選択して、自由なレイアウトに配置できると共に、これらを簡単に変更でき、取扱い易く、使い勝手が良く、汎用性に優れ、省スペース化が図れ、衛生的で、構成が簡素で、耐久性に優れ、量産に適し、低廉で、経済的な実験用デスクを提供する。【解決手段】フレーム体Ａと、その外周部分の形状、寸法が同一な複数の各種天板Ｂとからなるデスク本体を備え、フレーム体Ａは、脚部と、各種天板Ｂ夫々が収容可能な複数の天板収容空間を有する略格子状の天板支持枠部とからなり、各種天板Ｂは、フラット天板Ｂ１や、シンク付天板Ｂ２や、透過照明付天板Ｂ３や、防振用天板Ｂ４や、パンチング天板や、格子状天板等を設け、任意の各種天板Ｂをフレーム体Ａの任意の天板収容空間に装着自在となるよう構成する。【選択図】図３
0003146910.tif 000002
【実用新案登録請求の範囲】
【請求項１】
各種実験や検査等を行う際に使用される実験用デスクであって、フレーム体と、その外周部分の形状、寸法が同一となるように形成される複数の各種天板とからなるデスク本体を備え、フレーム体は、脚部と、各種天板夫々が収容可能な複数の天板収容空間を有する略格子状の天板支持枠部とからなり、各種天板は、フラット天板や、シンク付天板や、透過照明付天板や、防振用天板や、パンチング天板や、格子状天板等が形成され、任意の各種天板をフレーム体の任意の天板収容空間に夫々装着自在となるよう構成したことを特徴とする実験用デスク。
【請求項２】
デスク本体のフレーム体に取付金具を介して固定自在な四本の支柱と、この四本の支柱に高さ調節自在に装着できる適数の棚板とからなる棚体を形成し、この棚体をデスク本体の後方上部に装着できるよう構成したことを特徴とする請求項１記載の実験用デスク。
【請求項３】
フレーム体の天板収容空間の内側周面に複数のストッパーを突設し、このストッパーで各種天板を支持できるよう構成したことを特徴とする請求項１または請求項２記載の実験用デスク。
【考案の詳細な説明】
【技術分野】
【０００１】
本考案は、例えば、学校や研究機関の研究室や、会社の研究所や工場の研究室や、適宜施設のクリーンルームや、その他の適宜施設内に於いて、各種実験や検査等を行う際に使用される実験用デスクに係り、特に、実験内容に応じた各種作業に適するように形成された複数の各種天板を、デスク本体に任意のレイアウトで装着したり、変更したりできるようにして、作業者にとって取扱い易く、使い勝手が良く、各種実験に対応できて汎用性に優れ、且つ省スペース化が図れるように工夫した実験用デスクに関するものである。
【背景技術】
【０００２】
従来、この種の実験用デスクとしては種々のものが提案されており、例えば、特許文献１に開示されているような作業机の実験台がある。
これは、実験用テーブル天板の上面後端縁には、間仕切板を蝶着した背板を立設し、前記テーブル天板の適所には、下方へ開口したシンクを埋設し、テーブル天板下方空間には、下面にキャスターを取り付けた移動可能な廃液タンクを配し、該廃液タンクと前記テーブル天板のシンクの開口とをパイプにて着脱可能に連結したものである。
【０００３】
【特許文献１】実公平２−３６５８６号公報
【考案の開示】
【考案が解決しようとする課題】
【０００４】
ところが、前述の実験台にあっては、シンクはテーブル天板の所定の位置に埋設されているため、シンクが不要となるような実験を行う場合は、テーブル天板のシンク部分のスペースが無駄となる難点があった。しかも、比較的大きなテーブル天板を必要とする難点もあった。すなわち、比較的狭く限られた空間しかないような研究室等で使用するには適さないものとなっていた。
また、作業者によってはシンクの位置（レイアウト）を好みの位置に変更したくても、これを変更することができない難点があった。
更に、シンク以外の部分にあっては、実験内容に応じた各種作業に適する天板とはなっていない難点もあった。
【０００５】
そこで、本考案は、前述の如き難点等を解消できるようにすると共に、実験内容に応じた各種作業に適するように形成された各種天板を、自由なレイアウトに簡単に変更できるようにすることで、作業者にとって取扱い易く、使い勝手が良く、各種実験に対応できる汎用性に優れたものとし、且つ省スペース化が図れ、しかも、構成が簡素で、耐久性に優れ、量産に適し、低廉で、経済的な実験用デスクを提供できるようにすべく案出されたものである。
【課題を解決するための手段】
【０００６】
しかして、前述の如き課題等を達成すべく、請求項１記載の実験用デスクにあっては、各種実験や検査等を行う際に使用される実験用デスクであって、フレーム体Ａと、その外周部分の形状、寸法が同一となるように形成される複数の各種天板Ｂとからなるデスク本体Ｓを備え、フレーム体Ａは、脚部と、各種天板Ｂ夫々が収容可能な複数の天板収容空間を有する略格子状の天板支持枠部とからなり、各種天板Ｂは、フラット天板Ｂ１や、シンク付天板Ｂ２や、透過照明付天板Ｂ３や、防振用天板Ｂ４や、パンチング天板Ｂ５や、格子状天板Ｂ６等が形成され、任意の各種天板Ｂをフレーム体Ａの任意の天板収容空間に夫々装着自在となるよう構成する手段を採用した。
【０００７】
また、請求項２記載の実験用デスクにあっては、デスク本体Ｓのフレーム体Ａに取付金具２２、２３を介して固定自在な四本の支柱２０と、この四本の支柱２０に高さ調節自在に装着できる適数の棚板２１とからなる棚体Ｔを形成し、この棚体Ｔをデスク本体Ｓの後方上部に装着できるよう構成する手段を採用した。
【０００８】
更に、請求項３記載の実験用デスクにあっては、フレーム体Ａの天板収容空間の内側周面に複数のストッパー４を突設し、このストッパー４で各種天板Ｂを支持できるよう構成する手段を採用した。
【考案の効果】
【０００９】
従って、本考案の請求項１記載の実験用デスクによれば、フレーム体Ａに設けた略格子状の天板支持枠部の複数の天板収容空間に、その外周部分の形状、寸法が同一となるように形成した複数の各種天板Ｂを、任意に夫々装着できるようになり、実験内容に応じた各種作業に適する各種天板Ｂを、選択して、自由なレイアウトに配置できるようになる。しかも、これらを簡単に変更することもできるようになる。すなわち、作業者にとって取扱い易く、使い勝手が良く、各種実験に対応できる汎用性に優れた実験用デスクとなる。ひいては、比較的狭く限られた空間を有効に利用できるようになり、省スペース化が図れるものとなる。
しかも、構成が簡素で、耐久性に優れ、量産に適し、低廉で、経済的な実験用デスクを提供できるようになる。
加えて、各種天板Ｂをフレーム体Ａから簡単に取外すことができ、各種天板Ｂやフレーム体Ａの洗浄等も比較的簡単に行えるようになり、衛生的な実験用デスクとなる。
【００１０】
特に、各種天板Ｂは、フラット天板Ｂ１や、シンク付天板Ｂ２や、透過照明付天板Ｂ３や、防振用天板Ｂ４や、パンチング天板Ｂ５や、格子状天板Ｂ６等が形成されるので、記入作業や細かなサンプルや器具を扱う時に適したフラット天板Ｂ１を用いたり、器具の洗浄や廃液を処理する時に適したシンク付天板Ｂ２を用いたり、目視検査や培養等の作業において検査精度を上げる時に適した透過照明付天板Ｂ３を用いたり、卓上装置の振動を他の各種天板Ｂに伝えたくない時に適した防振用天板Ｂ４を用いたり、クリーンルームの空気の流れを妨げたくない時に適したパンチング天板Ｂ５、格子状天板Ｂ６を用いたりすることができるようになる。
【００１１】
また、本考案の請求項２記載の実験用デスクによれば、デスク本体Ｓの後方上部に棚体Ｔを簡単に装着できるようになる。そして、デスク本体Ｓの後方上部の空間を棚体Ｔによってより有効に利用できるようになる。しかも、棚体Ｔ自体は、構成が簡素で、耐久性に優れ、量産に適し、低廉で、経済的なものとなる。
【００１２】
更に、本考案の請求項３記載の実験用デスクによれば、ストッパー４によって各種天板Ｂを天板収容空間に確実に且つ簡単に支持できるようになる。しかも、外観上の体裁良く各種天板Ｂを支持できるようになる。
【考案を実施するための最良の形態】
【００１３】
以下、本考案を図示例に基づいて説明すると、次の通りである。
本考案は、例えば、適宜研究室やクリーンルーム等に於いて各種実験や検査等を行う際に使用される実験用デスクである。
そして、この実験用デスクは、フレーム体Ａと、複数の各種天板Ｂとからなるデスク本体Ｓを備えたもので、複数の各種天板Ｂは、その外周部分の形状、寸法が同一となるように形成してある。
また、フレーム体Ａは、脚部と、この脚部の上端に配される天板支持枠部とからなり、天板支持枠部は、略格子状を呈し、各種天板Ｂ夫々が収容可能な複数の天板収容空間が形成されている。
しかも、各種天板Ｂは、フラット天板Ｂ１や、シンク付天板Ｂ２や、透過照明付天板Ｂ３や、防振用天板Ｂ４や、パンチング天板Ｂ５や、格子状天板Ｂ６等が形成され、任意の各種天板Ｂをフレーム体Ａの任意の天板収容空間に夫々装着自在となるよう構成されている。
【実施例】
【００１４】
前記デスク本体Ｓは、例えば、耐蝕性の優れたステンレス材によって構成され、脚部と、この脚部の上端部分に連設される天板支持枠部とで堅牢且つ安定的となるように形成されている。
【００１５】
そして、脚部は、例えば、四本の角筒状脚柱材１と、この脚柱材１相互を連結する三本の角筒状横架連結材２（正面がわ左右の脚柱材１相互を連結する横架連結材２を除く）とで形成されている。
ところで、脚柱材１の下端部分には、導電性を有する防振ゴム等を固定することにより、床面等に対してデスク本体Ｓが滑ることなく安定的に載置できると共に、デスク本体Ｓに生じた静電気等を床面にアースできるように形成してあっても良い。また、その移動が必要に応じてスムーズに行えるように導電性を有するストッパー付キャスターを脚柱材１下端部に固定しても良い。
【００１６】
一方、天板支持枠部は、例えば、角筒状のフレーム材３を溶着することによって四つの天板支持空間を有する格子状に形成されており、その四隅の下面に脚柱材１の上端部分が溶着されている。尚、天板支持空間は、例えば、二つでも、六つでも良いし、或いは、奇数であっても良い。しかも、天板支持枠部は、格子状でなくても良い。
【００１７】
また、フレーム体Ａの天板支持枠の天板収容空間の内側周面には、複数のストッパー４が突設されており、このストッパー４で後述する各種天板Ｂを支持できるよう構成されている。
尚、ストッパー４は、例えば、耐蝕性の優れたステンレス材を角棒状に形成したものが利用され、天板収容空間夫々の左右内側面には、長尺なものが固定（固着）され、天板収容空間夫々の前後内側面には、短尺なものがその中央部分に固定（固着）されている。
【００１８】
更に、フレーム体Ａの脚部の横架連結材２には、適宜取付具６を介してコンセント５が固定されている。尚、このコンセント５の取付け位置や数等は、適宜自由に設定、変更できるものである。
【００１９】
そして、前記各種天板Ｂは、例えば、平面矩形状を呈し、デスク本体Ｓの天板支持枠部の天板収容空間夫々に略合致するように形成されている。
【００２０】
フラット天板Ｂ１は、例えば、記入作業や細かなサンプルや器具を扱う時に適するように形成したもので、具体的には、その高さが短い矩形枠状の周壁部と、この周壁部の上端縁に連設される矩形状のフラットな天板部とからなり、周壁部の下端縁が前記ストッパー４の上端面に当接すると、天板部の上面が、天板支持枠の上面と面一となるように形成されたものである（図３参照）。尚、天板部下面がわには、適宜横架片を配して、天板部の強度、剛性を高めてある。
【００２１】
シンク付天板Ｂ２は、例えば、器具の洗浄や廃液を処理する時に適するように形成したもので、具体的には、その高さが短い矩形枠状の周壁部と、この周壁部の上端縁に連設されると共に、その中央部に適宜深さのシンク用凹部が形成してあるシンク付天板部とからなり、周壁部の下端縁が前記ストッパー４の上端面に当接すると、シンク付天板部のシンク用凹部以外の上面が、天板支持枠の上面と面一となるように形成されたものである（図３参照）。尚、シンク用凹部の底面には、例えば、排水口が形成され、この排水口には適宜排水パイプが取付けられるように形成されている。また、排水口は、適宜栓によって塞ぐことができるように形成しても良い。
【００２２】
透過照明付天板Ｂ３は、例えば、目視検査や培養等の作業において検査精度を上げる時に適するように形成したもので、具体的には、その高さが短い矩形枠状の周壁部と、この周壁部の上端縁に連設される矩形額縁状の天板枠部と、この天板枠部に収まるように装着される照明ボックス部とからなり、周壁部の下端縁が前記ストッパー４の上端面に当接すると、天板枠部の上面及び照明ボックス部の上面が、天板支持枠の上面と面一となるように形成されたもので、照明ボックス部に内蔵された光源（例えば、ＬＥＤを利用したもの、或いはその他のものを利用できる）からの光が、証明ボックス部の透過性天板を通過できるように形成されている（図３参照）。
【００２３】
防振用天板Ｂ４は、例えば、卓上装置の振動を他の各種天板Ｂに伝えたくない時に適するように形成したもので、具体的には、前記ストッパー４の上端面に当接するように形成される矩形枠状の基枠フレーム１０と、かなり細かな格子枠状に形成される天板基体１２と、基枠フレーム１０に固着した横架材１１と天板基体１２に固着した固着片１３との間に介装される四つの防振材１４とを備えたもので、天板基体１２の上に卓上装置（検査機等）を載置して、卓上装置（検査機等）の振動が基枠フレーム１０（フレーム体Ａ）に伝わらないようにしたり、或いは、基枠フレーム１０（フレーム体Ａ）からの振動が天板基体１２の上の卓上装置（検査機等）に伝わらないように形成されている。
ところで、防振材１４は、例えば、その中央にネジ棒１５の貫通孔が形成されており、その上下面にはワッシャ１６が夫々配され、ネジ棒１５の上下端部が横架材１１の透孔と固着片１３の透孔とに貫通（遊挿）されると共に、ネジ棒１５の上下端部にナット１７が螺着されることで、基枠フレーム１０と天板基体１２との間に介装できるように構成されている（図５、図６参照）。尚、具体的な防振手段は、図示例のものに限定されることなく、適宜自由に設定、変更できるものである。
【００２４】
パンチング天板Ｂ５は、例えば、上方から下方に向って流れるクリーンルームの空気の流れを妨げたくない時に適するように形成したもので、具体的には、その高さが短い矩形枠状の周壁部と、この周壁部の上端縁に連設される矩形状のフラットな天板部とからなり、天板部には多数のパンチング小孔が穿設され、周壁部の下端縁が前記ストッパー４の上端面に当接すると、天板部の上面が、天板支持枠の上面と面一となるように形成されたものである（図８参照）。尚、天板部下面がわには、適宜横架片を配して、天板部の強度、剛性を高めてあっても良い。
【００２５】
格子状天板Ｂ６は、例えば、上方から下方に向って流れるクリーンルームの空気の流れを妨げたくない時に適するように形成したもので、具体的には、その高さが短い矩形枠状の周壁部と、この周壁部の上端縁に連設される矩形額縁状の天板枠部と、この天板枠部内に適宜配列状態で配設される多数の丸棒材によって構成される格子状天板部とからなり、周壁部の下端縁が前記ストッパー４の上端面に当接すると、天板枠部の上面（及び格子状天板部の上面）が、天板支持枠の上面と面一となるように形成されたものである（図７参照）。
【００２６】
ところで、図中Ｔは、デスク本体Ｓの後方上部に装着できるように構成した耐蝕性の優れたステンレス製の棚体を示し、この棚体Ｔは、デスク本体Ｓのフレーム体Ａに前がわの取付金具２２及び後がわの取付金具２３を介して固定自在な四本の支柱２０と、この四本の支柱２０に高さ調節自在に装着できる適数の棚板２１とからなるものである。すなわち、この棚体Ｔは、デスク本体Ｓの後方上部の空間をより有効に利用できるように形成されたものである。
【００２７】
支柱２０は、例えば、長尺な中空円柱状を呈し、その下端部には雌ネジ孔が形成されており、取付金具２２、２３の上端部に溶着したネジ棒部に螺着可能となるように形成されている。
【００２８】
棚板２１は、例えば、支柱２０に外装される短筒を四隅に配してなる細長矩形格子棚状に形成され、支柱２０の任意の高さに装着できるように形成されている。
【００２９】
前がわの取付金具２２は、例えば、フレーム体Ａの天板支持枠部の左右側部に配したフレーム材３を左右外方から嵌め込み状に抱持可能となるように形成されたコ字形状の基部の上端面にネジ棒を固着したもので、また、後がわの取付金具２３は、例えば、フレーム体Ａの脚部の後がわに配した脚柱材１を左右外方から嵌め込み状に抱持可能となるようなコ字形状の下方基部を形成し、この下方基部の上端に連設されると共に、フレーム体Ａの天板支持枠部の左右側部に配したフレーム材３を左右外方から嵌め込み状に抱持可能となるコ字溝形状の上方基部を形成し、この上方基部の上端面にネジ棒を固着したものである。すなわち、フレーム体Ａに簡単に且つ安定的に装着できると共に、棚体Ｔを簡単に且つ安定的に支持できるように構成されたものである。
【００３０】
図中２５は、棚板２１の前がわ下面に適宜手段によって装着される照明器具で、この照明器具２５はデスク本体Ｓの上を明るく照らせるように構成されたものである。
【００３１】
尚、図示は省略したが、棚板２１には、薬品や器具等の適宜保管庫を載置させることもできる。
【００３２】
図中３０は、デスク本体Ｓのフレーム体Ａの天板支持枠部下方に取付け可能な引出し本体を示し、この引出し本体３０は、例えば、左右側部にあるストッパー４に一対の垂下プレート３１を取付ネジ３２を介して固定し、この垂下プレート３１の内側面がわ下部にガイドレール３３を固定し、このガイドレール３３内を摺動可能な摺動体３４を介して前後方向に引出し自在となるように装着されるものである。尚、引出し本体３０は、ゴミ受け等として利用することもできる。
【００３３】
ところで、実験用デスクの具体的構成、形状、寸法、材質、デスク本体Ｓの具体的構成、形状、寸法、材質、フレーム体Ａの具体的構成、形状、寸法、材質、天板支持枠部の具体的構成、形状、寸法、材質、脚部の具体的構成、形状、寸法、材質、脚柱材１の具体的構成、形状、寸法、材質、数、配設位置、横架連結材２の具体的構成、形状、寸法、材質、数、配設位置、フレーム材３の具体的構成、形状、寸法、材質、数、配設位置、ストッパー４の具体的構成、形状、寸法、材質、数、配設位置、コンセント５の具体的構成、形状、寸法、数、配設位置、取付具６の具体的構成、形状、寸法、材質、数、配設位置、各種天板Ｂの具体的構成、形状、寸法、材質、フラット天板Ｂ１の具体的構成、形状、寸法、材質、シンク付天板Ｂ２の具体的構成、形状、寸法、材質、透過照明付天板Ｂ３の具体的構成、形状、寸法、材質、防振用天板Ｂ４の具体的構成、形状、寸法、材質、パンチング天板Ｂ５の具体的構成、形状、寸法、材質、格子状天板Ｂ６の具体的構成、形状、寸法、材質、基枠フレーム１０の具体的構成、形状、寸法、材質、横架材１１の具体的構成、形状、寸法、材質、数、配設位置、天板基体１２の具体的構成、形状、寸法、材質、固着片１３の具体的構成、形状、寸法、材質、数、配設位置、防振材１４の具体的構成、形状、寸法、材質、ネジ棒１５の具体的構成、形状、寸法、材質、ワッシャ１６の具体的構成、形状、寸法、数、配設位置、ナット１７の具体的構成、形状、寸法、材質、数、配設位置、棚体Ｔの具体的構成、形状、寸法、材質、配設位置、支柱２０の具体的構成、形状、寸法、材質、数、配設位置、棚板２１の具体的構成、形状、寸法、材質、数、配設位置、取付金具２２の具体的構成、形状、寸法、材質、取付金具２３の具体的構成、形状、寸法、材質、照明器具２５の具体的構成、形状、寸法、数、配設位置、引出し本体３０の具体的構成、形状、寸法、材質、数、配設位置、垂下プレート３１の具体的構成、形状、寸法、材質、取付ネジ３２の具体的構成、形状、寸法、材質、数、配設位置、ガイドレール３３の具体的構成、形状、寸法、材質、摺動体３４の具体的構成、形状、寸法、材質等は図示例のもの等に限定されることなく適宜自由に設定、変更できるものである。
【図面の簡単な説明】
【００３４】
【図１】本考案の実験用デスクを例示する正面図である。
【図２】本考案の実験用デスクを例示する側面図である。
【図３】本考案の実験用デスクのデスク本体を例示する分解斜視図である。
【図４】本考案の実験用デスクのデスク本体に取付け可能な棚体を例示する斜視図である。
【図５】本考案の実験用デスクの各種天板に於ける防振用天板を例示する分解斜視図である。
【図６】本考案の実験用デスクの各種天板に於ける防振用天板を例示する部分断面図である。
【図７】本考案の実験用デスクの各種天板に於ける格子状天板を例示する斜視図である。
【図８】本考案の実験用デスクの各種天板に於けるパンチング天板を例示する斜視図である。
【図９】本考案の実験用デスクに引出し本体を装着した状態を例示する一部省略部分断面図である。
【符号の説明】
【００３５】
Ｓ      デスク本体
Ａ      フレーム体
１      脚柱材
２      横架連結材
３      フレーム材
４      ストッパー
５      コンセント
６      取付具
Ｂ      各種天板
Ｂ１    フラット天板
Ｂ２    シンク付天板
Ｂ３    透過照明付天板
Ｂ４    防振用天板
Ｂ５    パンチング天板
Ｂ６    格子状天板
１０    基枠フレーム
１１    横架材
１２    天板基体
１３    固着片
１４    防振材
１５    ネジ棒
１６    ワッシャ
１７    ナット
Ｔ      棚体
２０    支柱
２１    棚板
２２    取付金具
２３    取付金具
２５    照明器具
３０    引出し本体
３１    垂下プレート
３２    取付ネジ
３３    ガイドレール
３４    摺動体
【図１】
0003146910.tif 000003
【図２】
0003146910.tif 000004
【図３】
0003146910.tif 000005
【図４】
0003146910.tif 000006
【図５】
0003146910.tif 000007
【図６】
0003146910.tif 000008
【図７】
0003146910.tif 000009
【図８】
0003146910.tif 000010
【図９】
0003146910.tif 000011